(57)【要約】【課題】受信品質情報の情報量、送信頻度に柔軟に対応した、効率的な受信品質情報の送信制御を実現する。【解決手段】上りリンクデータ送信許可信号で割り当てられた上りリンクデータチャネルを使用して、移動局装置が上りリンクデータを基地局装置へ送信する移動通信システムであって、前記基地局装置は、無線資源制御信号に受信品質情報の送信指示を含めて前記移動局装置へ送信し、前記上りリンクデータ送信許可信号に受信品質情報の送信指示を含めて前記移動局装置へ送信し、前記移動局装置は、前記無線資源制御信号に含まれる前記受信品質情報の送信指示に従って、第１の受信品質情報を定期的に前記基地局装置へ送信し、前記上りリンクデータ送信許可信号に前記受信品質情報の送信指示が含まれている場合には、第２の受信品質情報を前記上りリンクデータチャネルを使用して前記基地局装置へ送信する。【選択図】図９
2010074821.tif 000002
【特許請求の範囲】
【請求項１】
上りリンクデータ送信許可信号で割り当てられた上りリンクデータチャネルを使用して、移動局装置が上りリンクデータを基地局装置へ送信する移動通信システムであって、
前記基地局装置は、
無線資源制御信号に受信品質情報の送信指示を含めて前記移動局装置へ送信し、
前記上りリンクデータ送信許可信号に受信品質情報の送信指示を含めて前記移動局装置へ送信し、
前記移動局装置は、
前記無線資源制御信号に含まれる前記受信品質情報の送信指示に従って、第１の受信品質情報を定期的に前記基地局装置へ送信し、
前記上りリンクデータ送信許可信号に前記受信品質情報の送信指示が含まれている場合には、第２の受信品質情報を前記上りリンクデータチャネルを使用して前記基地局装置へ送信することを特徴とする移動通信システム。
【請求項２】
前記第２の受信品質情報の情報量は前記第１の受信品質情報の情報量よりも大きいことを特徴とする請求項１に記載の移動通信システム。
【請求項３】
上りリンクデータ送信許可信号で割り当てられた上りリンクデータチャネルを使用して、移動局装置が上りリンクデータを基地局装置へ送信する移動通信システムにおける基地局装置であって、
無線資源制御信号に受信品質情報の送信指示を含めて前記移動局装置へ送信する手段と、
前記上りリンクデータ送信許可信号に受信品質情報の送信指示を含めて前記移動局装置へ送信する手段と、を備えることを特徴とする基地局装置。
【請求項４】
上りリンクデータ送信許可信号で割り当てられた上りリンクデータチャネルを使用して、移動局装置が上りリンクデータを基地局装置へ送信する移動通信システムにおける移動局装置であって、
受信品質情報の送信指示を含む無線資源制御信号を前記基地局装置から受信する手段と、
前記上りリンクデータ送信許可信号を前記基地局装置から受信する手段と、
前記無線資源制御信号に含まれる前記受信品質情報の送信指示に従って、第１の受信品質情報を定期的に前記基地局装置へ送信する手段と、
前記上りリンクデータ送信許可信号に受信品質情報の送信指示が含まれている場合には、第２の受信品質情報を前記上りリンクデータチャネルを使用して前記基地局装置へ送信する手段と、を備えることを特徴とする移動局装置。
【請求項５】
前記第２の受信品質情報の情報量は前記第１の受信品質情報の情報量よりも大きいことを特徴とする請求項４に記載の移動局装置。
【請求項６】
上りリンクデータ送信許可信号で割り当てられた上りリンクデータチャネルを使用して、移動局装置が上りリンクデータを基地局装置へ送信する移動通信システムにおける基地局装置の通信方法であって、
無線資源制御信号に受信品質情報の送信指示を含めて前記移動局装置へ送信し、
前記上りリンクデータ送信許可信号に受信品質情報の送信指示を含めて前記移動局装置へ送信することを特徴とする通信方法。
【請求項７】
上りリンクデータ送信許可信号で割り当てられた上りリンクデータチャネルを使用して、移動局装置が上りリンクデータを基地局装置へ送信する移動通信システムにおける移動局装置の通信方法であって、
受信品質情報の送信指示を含む無線資源制御信号を前記基地局装置から受信し、
前記上りリンクデータ送信許可信号を前記基地局装置から受信し、
前記無線資源制御信号に含まれる前記受信品質情報の送信指示に従って、第１の受信品質情報を定期的に前記基地局装置へ送信し、
前記上りリンクデータ送信許可信号に受信品質情報の送信指示が含まれている場合には、第２の受信品質情報を前記上りリンクデータチャネルを使用して前記基地局装置へ送信することを特徴とする通信方法。
【請求項８】
前記第２の受信品質情報の情報量は前記第１の受信品質情報の情報量よりも大きいことを特徴とする請求項７に記載の通信方法。
【発明の詳細な説明】
【技術分野】
【０００１】
本発明は、移動局装置が、基地局装置から受信した信号の受信品質を測定し、受信品質情報を基地局装置へ送信する移動通信システム、この移動通信システムに適用される基地局装置、移動局装置および通信方法に関する。
【背景技術】
【０００２】
近時、移動通信システムにおいては、データ通信の需要が高まっており、それに伴う通信データの増加に対応した、高い周波数利用効率が得られる様々な技術が提案されている。周波数利用効率を高める技術の１つにＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）がある。このＯＦＤＭＡは、セルで構成される通信エリアにおいて、すべてのセルで同じ周波数を用いて通信する際の変調方式の技術に関するものであり、高速なデータ通信を実現することができる。
【０００３】
ＯＦＤＭＡシステムにおける送信パケットのスケジューリングでは、広帯域のサブキャリアにおける下り回線状態の受信品質を示す情報であるＣＱＩ（Ｃｈａｎｎｅｌ  Ｑｕａｌｉｔｙ  Ｉｎｄｉｃａｔｏｒ）を移動局装置が基地局装置に送信し、基地局装置は各移動局装置から送信された広帯域のサブキャリアのＣＱＩに基づいて、パケットのスケジューリングを行なうという方法が知られている。
【０００４】
また、複数のサブキャリアを用いるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は送信された情報に基づいて各移動局装置に割り振るサブキャリアを決定するという技術も知られている（特許文献１）。
【０００５】
図１８は、従来の基地局装置と移動局装置との通信方法について説明するための図である。基地局装置から受信品質測定に用いる下り回線の下りリンク情報を受信した移動局装置は、その下りリンク情報に基づいて各チャネルの受信品質を測定し、伝搬路のチャネルプロファイルを作成する。
【０００６】
移動局装置が作成したチャネルプロファイルは、上り回線を用いて、受信品質情報として移動局装置から基地局装置に送信される。基地局装置は、その受信品質情報に基づいて、基地局装置から移動局装置に対して送信する信号に対して適応変調符号化や周波数選択スケジューリングの処理を行なう。
【０００７】
この移動局装置による基地局装置への受信品質情報の送信に関して、国際的な標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で検討されている第３世代無線アクセスの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）では、専用の上りリンク制御チャネル（以下、ＰＵＣＣＨ（Ｐｈｙｓｉｃａｌ  Ｕｐｌｉｎｋ  Ｃｏｎｔｒｏｌ  Ｃｈａｎｎｅｌ））、もしくは、上りリンクデータチャネル（以下、ＰＵＳＣＨ（Ｐｈｙｓｉｃａｌ  Ｕｐｌｉｎｋ  Ｓｈａｒｅｄ  Ｃｈａｎｎｅｌ））を用いて、移動局装置から基地局装置に送信することが検討されている。
【０００８】
例えば、非特許文献１では、移動局装置から基地局装置へ受信品質情報を送信する際に、要求される受信品質情報が異なるサービスの種類によって、ＰＵＣＣＨ、もしくは、ＰＵＳＣＨを用いて受信品質情報を送信しようとする提案がなされている。
【先行技術文献】
【特許文献】
【０００９】
【特許文献１】特開２００５−１３０４９１号公報
【非特許文献】
【００１０】
【非特許文献１】“ＣＱＩ  ｈａｎｄｌｉｎｇ  ｄｕｒｉｎｇ  ＤＲＸ”、３ＧＰＰ、ＴＳＧ  ＲＡＮ  ＷＧ２  Ｍｅｅｔｉｎｇ  ＃５８、Ｒ２−０７１９０１、２００７年５月
【発明の概要】
【発明が解決しようとする課題】
【００１１】
しかしながら、従来の技術では、移動局装置から基地局装置に対して受信品質情報をＰＵＣＣＨ、もしくは、ＰＵＳＣＨで送信する際に、基地局装置がどのような制御情報を用いて移動局装置の制御を行ない、さらに、基地局装置と移動局装置との間でどのようなやり取りが行なわれて受信品質情報の送信が行なわれるかの具体的な記載はない。
【００１２】
受信品質情報の送信では、例えば、基地局装置が移動局装置に対して適切な周波数選択スケジューリングを行なうために、送信周波数帯をある領域ごとに分割したチャネル全てについての受信品質情報というような大きな情報量を送信したい場合がある。
【００１３】
その一方で、例えば、基地局装置が移動局装置に対して、適応変調符号化を行なうために、広帯域の平均値のような小さな情報量の受信品質情報を送信させたい場合もあり、移動局装置から基地局装置に送信する受信品質情報の情報量のサイズは大きな幅を持っている。
【００１４】
また、受信品質情報のサイズ、送信頻度を基地局装置が制御したいという要求がある。基地局装置は、自らが制御するセル内の上りリンクリソースを考慮して、送信される受信品質情報のサイズ、送信頻度を制御すべきであり、各移動局装置の判断でサイズの大きな受信品質情報を高頻度に送信しては、セル内の上りリンクリソースが不足してしまい、また、サイズの小さな受信品質情報を低頻度に送信しては、上りリンクリソースに無駄が生じてしまう。
【００１５】
すなわち、移動局装置から基地局装置に対する受信品質情報の送信において、基地局装置からどのような制御情報を用いて移動局装置の制御を行ない、基地局装置と移動局装置の間でどのようなやり取りを行なって受信品質情報を送信するかが重要な課題であり、送信される受信品質情報の情報量、送信頻度を考慮した、効率的な送信制御方法が必要とされる。
【００１６】
本発明は、このような事情に鑑みてなされたものであり、受信品質情報の情報量、送信頻度に柔軟に対応した、効率的な受信品質情報の送信制御を実現することができる移動通信システム、基地局装置、移動局装置および通信方法を提供することを目的とする。
【課題を解決するための手段】
【００１７】
（１）上記の目的を達成するために、本発明は、次のような手段を講じた。すなわち、本発明の移動通信システムは、上りリンクデータ送信許可信号で割り当てられた上りリンクデータチャネルを使用して、移動局装置が上りリンクデータを基地局装置へ送信する移動通信システムであって、前記基地局装置は、無線資源制御信号に受信品質情報の送信指示を含めて前記移動局装置へ送信し、前記上りリンクデータ送信許可信号に受信品質情報の送信指示を含めて前記移動局装置へ送信し、前記移動局装置は、前記無線資源制御信号に含まれる前記受信品質情報の送信指示に従って、第１の受信品質情報を定期的に前記基地局装置へ送信し、前記上りリンクデータ送信許可信号に前記受信品質情報の送信指示が含まれている場合には、第２の受信品質情報を前記上りリンクデータチャネルを使用して前記基地局装置へ送信することを特徴とする移動通信システムである。
【００１８】
（２）また、前記第２の受信品質情報の情報量は前記第１の受信品質情報の情報量よりも大きいことを特徴とする移動通信システムである。
【００１９】
（３）また、上りリンクデータ送信許可信号で割り当てられた上りリンクデータチャネルを使用して、移動局装置が上りリンクデータを基地局装置へ送信する移動通信システムにおける基地局装置であって、無線資源制御信号に受信品質情報の送信指示を含めて前記移動局装置へ送信する手段と、前記上りリンクデータ送信許可信号に受信品質情報の送信指示を含めて前記移動局装置へ送信する手段と、を備えることを特徴とする基地局装置である。
【００２０】
（４）また、上りリンクデータ送信許可信号で割り当てられた上りリンクデータチャネルを使用して、移動局装置が上りリンクデータを基地局装置へ送信する移動通信システムにおける移動局装置であって、受信品質情報の送信指示を含む無線資源制御信号を前記基地局装置から受信する手段と、前記上りリンクデータ送信許可信号を前記基地局装置から受信する手段と、前記無線資源制御信号に含まれる前記受信品質情報の送信指示に従って、第１の受信品質情報を定期的に前記基地局装置へ送信する手段と、前記上りリンクデータ送信許可信号に受信品質情報の送信指示が含まれている場合には、第２の受信品質情報を前記上りリンクデータチャネルを使用して前記基地局装置へ送信する手段と、を備えることを特徴とする移動局装置である。
【００２１】
（５）また、前記第２の受信品質情報の情報量は前記第１の受信品質情報の情報量よりも大きいことを特徴とする移動局装置である。
【００２２】
（６）また、上りリンクデータ送信許可信号で割り当てられた上りリンクデータチャネルを使用して、移動局装置が上りリンクデータを基地局装置へ送信する移動通信システムにおける基地局装置の通信方法であって、無線資源制御信号に受信品質情報の送信指示を含めて前記移動局装置へ送信し、前記上りリンクデータ送信許可信号に受信品質情報の送信指示を含めて前記移動局装置へ送信することを特徴とする通信方法である。
【００２３】
（７）また、上りリンクデータ送信許可信号で割り当てられた上りリンクデータチャネルを使用して、移動局装置が上りリンクデータを基地局装置へ送信する移動通信システムにおける移動局装置の通信方法であって、受信品質情報の送信指示を含む無線資源制御信号を前記基地局装置から受信し、前記上りリンクデータ送信許可信号を前記基地局装置から受信し、前記無線資源制御信号に含まれる前記受信品質情報の送信指示に従って、第１の受信品質情報を定期的に前記基地局装置へ送信し、前記上りリンクデータ送信許可信号に受信品質情報の送信指示が含まれている場合には、第２の受信品質情報を前記上りリンクデータチャネルを使用して前記基地局装置へ送信することを特徴とする通信方法である。
【００２４】
（８）また、前記第２の受信品質情報の情報量は前記第１の受信品質情報の情報量よりも大きいことを特徴とする通信方法である。
【発明の効果】
【００２５】
本発明によれば、基地局装置が、受信品質情報の送信頻度を制御することができる。また、セル内の上りリンクリソースを考慮した受信品質情報の送信制御を行なうことができる。
【図面の簡単な説明】
【００２６】
【図１】本発明に係る第１の実施形態に係る基地局装置の概略構成を示すブロック図である。
【図２】本発明に係る第１の実施形態に係る移動局装置の概略構成を示すブロック図である。
【図３】本発明に係る第１の実施形態において、基地局装置から移動局装置に送信される制御信号、移動局装置から基地局装置に送信される受信品質情報、上りリンクデータ、受信品質情報送信形態を示す図である。
【図４】移動局装置が上りリンクデータと受信品質情報を同時に送信する際の送信形態を示した図である。
【図５】本発明に係る第１の実施形態においてスロットで送信される内容および形式を示す図である。
【図６】本発明に係る第１の実施形態の動作を示すシーケンスチャートである。
【図７】本発明の第１の実施形態において、基地局装置から移動局装置へＲＲＣシグナリングによって同時送信用物理フォーマットが指定された場合のスロットで送信される内容および形式を示す図である。
【図８】本発明の第１の実施形態において、基地局装置から移動局装置へＲＲＣシグナリングによって同時送信用物理フォーマットが指定された場合の動作を示すシーケンスチャートである。
【図９】本発明に係る第２の実施形態において、基地局装置から移動局装置に送信される制御信号、移動局装置から基地局装置に送信される受信品質情報、上りリンクデータ、受信品質情報送信形態を示す図である。
【図１０】本発明に係る第２の実施形態において、スロットで送信される内容および形式を示す図である。
【図１１】本発明に係る第２の実施形態の動作を示すシーケンスチャートである。
【図１２】本発明に係る第３の実施形態において、基地局装置から移動局装置に送信される制御信号、移動局装置から基地局装置に送信される受信品質情報、上りリンクデータ、受信品質情報送信形態を示す図である。
【図１３】本発明に係る第３の実施形態において、スロットで送信される内容および形式を示す図である。
【図１４】本発明に係る第３の実施形態の動作を示すシーケンスチャートである。
【図１５】本発明に係る第４の実施形態において、基地局装置から移動局装置に送信される制御信号、移動局装置から基地局装置に送信される受信品質情報、上りリンクデータ、受信品質情報送信形態を示す図である。
【図１６】本発明に係る第４の実施形態において、スロットで送信される内容および形式を示す図である。
【図１７】本発明に係る第４の実施形態の動作を示すシーケンスチャートである。
【図１８】従来の基地局装置と移動局装置との通信方法について説明するための図である。
【発明を実施するための形態】
【００２７】
（第１の実施形態）
まず始めに、本発明の第１の実施形態に係る移動通信システムについて説明する。この移動通信システムは、基地局装置と移動局装置とから構成される。図１は、本発明の第１の実施形態に係る基地局装置の概略構成を示すブロック図である。基地局装置１００は、データ制御部１０１、変調符号化部１０２、マッピング部１０３、逆高速フーリエ変換（ＩＦＦＴ）部１０４、無線送信部１０５、無線受信部１０６、高速フーリエ変換（ＦＦＴ）部１０７、復調復号化部１０８、データ抽出部１０９、スケジューラ部１１０、送信情報制御部１１１、アンテナ１１２を備えている。送信情報制御部１１１は、変調符号制御部１１１ａ、周波数選択スケジューラ部１１１ｂを含んでいる。
【００２８】
基地局装置１００において、データ制御部１０１には、各移動局装置に送信される送信データと、制御データとが入力され、スケジューラ部１１０からの指示に従って、それぞれのデータが逐次移動局装置に送信される。変調符号化部１０２は、変調符号制御部１１１ａが決定した変調方式および符号化率に基づいて、データ制御部１０１から出力される信号に対して、変調処理や誤り訂正符号化処理を施し、各データをマッピング部１０３に出力する。マッピング部１０３は、周波数選択スケジューラ部１１１ｂから出力される周波数選択スケジューリング情報に基づいて、変調符号化部１０２から出力されるデータを、各サブキャリア上にマッピングし、逆高速フーリエ変換部１０４に出力する。
【００２９】
逆高速フーリエ変換部１０４は、マッピング部１０３から出力されるデータに、逆高速フーリエ変換の処理を施し、時系列のベースバンドデジタル信号に変換し、無線送信部１０５に出力する。逆高速フーリエ変換部１０４からの出力信号は、無線送信部１０５においてデジタル／アナログ変換され、送信に適した周波数にアップコンバートされた後に、アンテナ１１２を介して、各移動局装置に送信される。
【００３０】
スケジューラ部１１０は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行なう。変調符号制御部１１１ａは、移動局装置から送信される受信品質情報に基づいて、各データに施す変調方式、符号化率を決定し、変調符号化部１０２に出力する。周波数選択スケジューラ部１１１ｂは、移動局装置から送信される受信品質情報に基づいて、各データに施す周波数選択スケジューリングの処理を行ない、その結果をマッピング部１０３に出力する。
【００３１】
図２は、本発明の第１の実施形態に係る移動局装置の概略構成を示すブロック図である。移動局装置２００は、データ制御部２０１、変調符号化部２０２、マッピング部２０３、逆高速フーリエ変換（ＩＦＦＴ）部２０４、無線送信部２０５、無線受信部２０６、高速フーリエ変換（ＦＦＴ）部２０７、復調復号化部２０８、データ抽出部２０９、受信品質情報制御部２１０、アンテナ２１１を備えている。受信品質情報制御部２１０は、受信品質情報生成部２１０ａ、受信品質測定部２１０ｂを備えている。
【００３２】
移動局装置２００において、データ制御部２０１には、基地局装置に送信される送信データと、制御データとが入力され、それぞれのデータが逐次基地局装置に送信される。変調符号化部２０２は、データ制御部２０１から出力される信号に変調処理や誤り訂正符号化処理を施し、各データをマッピング部２０３に出力する。マッピング部２０３は、変調符号化部２０２から出力されるデータを、各サブキャリア上にマッピングし、逆高速フーリエ変換部２０４に出力する。
【００３３】
逆高速フーリエ変換部２０４は、マッピング部２０３から出力されるシンボル系列に逆高速フーリエ変換の処理を施し、時系列のベースバンドデジタル信号に変換し、無線送信部２０５に出力する。逆高速フーリエ変換部２０４からの出力信号は、無線送信部２０５においてデジタル／アナログ変換され、送信に適した周波数にアップコンバートされた後に、アンテナ２１１を介して、基地局装置に送信される。
【００３４】
受信品質測定部２１０ｂは、基地局装置から受信する信号の受信品質を測定する。受信品質情報生成部２１０ａは、受信品質測定部２１０ｂによって測定された情報に基づいて、基地局装置に送信する受信品質情報を生成する。
【００３５】
図３は、本発明に係る第１の実施形態において、基地局装置から移動局装置に送信される制御信号、移動局装置から基地局装置に送信される受信品質情報、上りリンクデータ、受信品質情報送信形態を示す図である。図３では、例として、＃ｓｌｏｔ１〜＃ｓｌｏｔ２４までの動作を示している。移動局装置は、基地局装置からの下りリンク制御チャネル（以下、「ＰＤＣＣＨ（Ｐｈｙｓｉｃａｌ  Ｄｏｗｎｌｉｎｋ  Ｃｏｎｔｒｏｌ  Ｃｈａｎｎｅｌ）」と呼称する。）によって指示されたリソース割当てに応じて、ＰＵＳＣＨを使用してデータを送信する。すなわち、この下りリンク制御チャネル（ＰＤＣＣＨ）は、上りリンクに対するデータ送信を許可する信号（以下、上りリンクデータ送信許可信号を意味する「Ｌ１／Ｌ２グラント」と呼称する。）である。
【００３６】
図３における＃ｓｌｏｔ２での基地局装置、移動局装置の動作を説明する。移動局装置に対して受信品質情報を送信するように指示することを判断した基地局装置は、そのスロット（＃ｓｌｏｔ２）において、上りリンクデータと受信品質情報を同時に送信するように指示する同時送信許可情報を、Ｌ１／Ｌ２グラント（上りリンクデータ送信許可信号）に含めて送信する。同時送信許可情報を含んだＬ１／Ｌ２グラントを受信した移動局装置は、図３の斜線を付した矩形のように、基地局装置に対して上りリンクデータと受信品質情報を同時に送信する。＃ｓｌｏｔ２では、基地局装置から、＃ｓｌｏｔ２を制御するタイミングでＰＤＣＣＨを使用して、同時送信許可情報を含んだＬ１／Ｌ２グラントが移動局装置に送信され、その信号を受信した移動局装置が、上りリンクデータと受信品質情報を、同時に基地局装置に対して送信していることを示している。
【００３７】
また、＃ｓｌｏｔ３では、基地局装置から、同時送信許可情報を含まないＬ１／Ｌ２グラントが移動局装置に送信され、その信号を受信した移動局装置は、白抜きの矩形で示したように、受信品質情報を含まない物理フォーマットで、ＰＵＳＣＨを使用して上りリンクデータを基地局装置に送信する。図３では、同様に、＃ｓｌｏｔ９、＃ｓｌｏｔ２０で、基地局装置から同時送信許可情報を含んだＬ１／Ｌ２グラントが送信され、その信号を受信した移動局装置が上りリンクデータと受信品質情報を同時に送信していることを示している。
【００３８】
図４は、移動局装置が上りリンクデータと受信品質情報を同時に送信する際の送信形態を示した図である。図４では、一例として、２つの物理フォーマット（送信形態１、送信形態２）を示している。移動局装置から基地局装置に対して送信されるデータを、１４ＯＦＤＭシンボルで表し、その１４ＯＦＤＭシンボル内に、データの復調を行なうための伝搬路推定に用いる既知のリファレンスシンボル（パイロット信号、以下、ＲＳ）と、送信形態１、送信形態２でそれぞれ異なる数の受信品質情報、上りリンクデータが配置されている。
【００３９】
送信形態１では、２、６、９、１３ＯＦＤＭシンボル目に受信品質情報が配置され、３、４、７、１０、１１、１４ＯＦＤＭシンボル目に上りリンクデータが配置されている。送信形態２では、２、４、６、９、１１、１３ＯＦＤＭシンボル目に受信品質情報が配置され、３、７、１０、１４ＯＦＤＭシンボル目に上りリンクデータが配置されている。
【００４０】
基地局装置から同時送信許可情報を含んだＬ１／Ｌ２グラントが送信され、その信号を受信した移動局装置は、送信形態１または送信形態２で示されるような送信形態で、上りリンクデータと受信品質情報を同時に基地局装置に対して送信する。
【００４１】
基地局装置は、移動局装置が同時に送信する上りリンクデータと受信品質情報の物理フォーマットをＲＲＣシグナリング（無線資源制御信号）で指定することができる。例えば、上りリンクデータと受信品質情報の割合を、ＯＦＤＭシンボル単位で設定し、上記送信形態１または送信形態２などを詳細に設定する。例えば、１４ＯＦＤＭシンボルの送信データに対して、受信品質情報が４ＯＦＤＭシンボル分含まれているという情報や、アップリンクデータが６ＯＦＤＭシンボル分含まれているという情報を送信しても良い。また、単純に、予め定められた送信形態の中から選択された送信形態を通知しても良い。さらに、受信品質情報を符号化するときの変調方式、符号化方式についても、予めＲＲＣシグナリングで指定されていても良い。
【００４２】
また、図４において、送信形態１と送信形態２とでは、時間軸方向（１４ＯＦＤＭ）の中でＲＳ、上りリンクデータ、受信品質情報の配置が変更されているが、周波数軸方向に対して、これらの配置が変更されても良い。さらに、Ｌ１／Ｌ２グラントによって割り当てられたＰＵＳＣＨのリソースの大きさに応じて、自動的に変更しても良い。例えば、低い周波数帯域に配置されるリソースユニット（ＰＵＳＣＨの時間周波数ブロックの最小単位）のみが受信品質情報を送信し、残りの高い周波数帯域に配置されるリソースユニットは、上りリンクデータのみを送信することができる。受信品質情報を符号化するときの変調方式、符号化方式についてもＬ１／Ｌ２グラントによって指定されたＰＵＳＣＨの変調方式、符号化方式に応じて変更されても良い。
【００４３】
移動局装置は、基地局装置からＲＲＣシグナリングで指定された物理フォーマットを記憶しておき、基地局装置から同時送信許可信号を含んだＬ１／Ｌ２グラントが送信されると、その物理フォーマット（例えば、図４における送信形態１に示されるような、受信品質情報に４ＯＦＤＭシンボル、上りリンクデータに６ＯＦＤＭシンボル使用するフォーマット）で上りリンクデータと受信品質情報を同時に送信する。
【００４４】
ここで、同時送信用物理フォーマットとしてＲＲＣシグナリングに含まれる情報としては、予め定められた数種類の物理フォーマットに対して付与されたインデックスや、上りリンクデータが含まれるＯＦＤＭシンボルの数（例えば、１４ＯＦＤＭに対する上りリンクデータの数６ＯＦＤＭ）、もしくは、受信品質情報が含まれるＯＦＤＭシンボルの数（例えば、１４ＯＦＤＭに対する受信品質情報の数４ＯＦＤＭ）など、移動局装置が、上りリンクデータと受信品質情報を同時に送信する際の割合を決定するものであれば何でも良い。
【００４５】
また、送信形態の一例として、図４に示すような２種類の形態をあげたが、ＲＳ、上りリンクデータ、受信品質情報の配置は、これ以外の配置であっても良い。さらに、送信されるＯＦＤＭ信号の中に、ＲＳ、上りリンクデータ、受信品質情報以外の、例えば、ＡＣＫ／ＮＡＣＫ信号のような情報が含まれていても良い。
【００４６】
図５は、本発明に係る第１の実施形態においてスロットで送信される内容および形式を示す図である。図６は、本発明に係る第１の実施形態の動作を示すシーケンスチャートである。ここでは、説明を分かり易くするために、図３における＃ｓｌｏｔ１〜＃ｓｌｏｔ１２までに対応したスロットおよびシーケンスを示している。また、以下、上りリンクを「アップリンク」と呼び、下りリンクを「ダウンリンク」と呼ぶこともある。
【００４７】
図５および図６において、＃ｓｌｏｔ２で、基地局装置は、同時送信許可情報を含んだＬ１／Ｌ２グラントを移動局装置に対して送信する（ステップＳ１）。その信号を受信した移動局装置は、上りリンクデータと受信品質情報を同時に基地局装置に対して送信する（ステップＳ２）。＃ｓｌｏｔ９においても同様の処理が行なわれる（ステップＳ７、Ｓ８）。＃ｓｌｏｔ３で、基地局装置は、同時送信許可情報を含まないＬ１／Ｌ２グラントを移動局装置に対して送信する（ステップＳ３）。その信号を受信した移動局装置は、受信品質情報を含まない物理フォーマットで上りリンクデータを送信する（ステップＳ４）。＃ｓｌｏｔ４、＃ｓｌｏｔ１１、＃ｓｌｏｔ１２においても同様の処理が行なわれる（ステップＳ５、Ｓ６、Ｓ９、Ｓ１０、Ｓ１１、Ｓ１２）。
【００４８】
図７は、本発明の第１の実施形態において、基地局装置から移動局装置へＲＲＣシグナリングによって同時送信用物理フォーマットが指定された場合のスロットで送信される内容および形式を示す図である。また、図８は、本発明の第１の実施形態において、基地局装置から移動局装置へＲＲＣシグナリングによって同時送信用物理フォーマットが指定された場合の動作を示すシーケンスチャートである。図５および図６で示した場合と異なる点は、＃ｓｌｏｔ１、および、＃ｓｌｏｔ８において、基地局装置から同時送信用物理フォーマットを指定するＲＲＣシグナリングが、移動局装置に対して送信されている点である。
【００４９】
図７および図８において、＃ｓｌｏｔ１で、基地局装置は、同時送信用物理フォーマットを指定するＲＲＣシグナリングを移動局装置に対して送信する（ステップＳ２１）。ここでは、図４における送信形態１がＲＲＣシグナリングによって指定されるとする。移動局装置は、指定された同時送信用物理フォーマット（送信形態１）を記憶しておく。＃ｓｌｏｔ２で、基地局装置は、同時送信許可信号を含んだＬ１／Ｌ２グラントを移動局装置に対して送信する（ステップＳ２２）。その信号を受信した移動局装置は、アップリンクデータと受信品質情報を、記憶しておいた送信形態１で基地局装置に対して送信する（ステップＳ２３）。
【００５０】
次に、基地局装置は、＃ｓｌｏｔ３で、同時送信許可信号を含まないＬ１／Ｌ２グラントを移動局装置に対して送信する（ステップＳ２４）。移動局装置は、アップリンクデータを基地局装置に対して送信する（ステップＳ２５）。＃ｓｌｏｔ４、＃ｓｌｏｔ６、＃ｓｌｏｔ１１、＃ｓｌｏｔ１２においても同様の処理が行なわれる（ステップＳ２６、Ｓ２７、Ｓ２８、Ｓ２９、Ｓ３３〜Ｓ３６）。
【００５１】
＃ｓｌｏｔ８で、基地局装置は同時送信用物理フォーマット指定を含んだＲＲＣシグナリングを移動局装置に対して送信する（ステップＳ３０）。ここでは、図４における送信形態２がＲＲＣシグナリングによって指定されるとする。移動局装置は、指定された同時送信用物理フォーマット（送信形態２）を記憶しておく。＃ｓｌｏｔ９で、基地局装置は、同時送信許可信号を含んだＬ１／Ｌ２グラントを移動局装置に対して送信する（ステップＳ３１）。その信号を受信した移動局装置は、上りリンクデータと受信品質情報を、記憶しておいた送信形態２で基地局装置に対して送信する（ステップＳ３２）。
【００５２】
以上のように、本発明に係る第１の実施形態によれば、基地局装置が、上りリンクデータと受信品質情報を同時に送信することを許可する同時送信許可情報を含んだＬ１／Ｌ２グラントを送信し、その信号を受信した移動局装置が、上りリンクデータと受信品質情報を同時に送信することにより、基地局装置が、受信品質情報の送信頻度を制御することができ、セル内の上りリンクリソースを考慮した受信品質情報の送信制御を行なうことができる。
【００５３】
また、上りリンクデータと受信品質情報を同時に送信することが可能であるため、Ｌ１／Ｌ２グラントのリソースの無駄遣いを減らすことにつながる。すなわち、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【００５４】
さらに、基地局装置が、上りリンクデータと受信品質情報を同時に送信する際の同時送信用物理フォーマットを指定するＲＲＣシグナリングを送信することにより、移動局装置から送信される受信品質情報の情報量に柔軟に対応した送信制御を行なうことができる。
【００５５】
（第２の実施形態）
図９は、本発明に係る第２の実施形態において、基地局装置から移動局装置に送信される制御信号、移動局装置から基地局装置に送信される受信品質情報、上りリンクデータ、受信品質情報送信形態を示す図である。図９では、例として、＃ｓｌｏｔ１〜＃ｓｌｏｔ２４までの動作を示している。
【００５６】
まず基地局装置は、移動局装置がＰＵＣＣＨを使用して受信品質情報を送信する際のリソース割当て、送信間隔をＲＲＣシグナリングに含めて送信する。一般的に、ＰＵＣＣＨとして割り当てられるリソース領域は、ＰＵＳＣＨとして割り当てられるリソース領域よりも小さいため、送信する情報量のサイズも小さくなる。すなわち、移動局装置がＰＵＣＣＨを使用して送信する受信品質情報は、小さな情報量の受信品質情報であり、ＰＵＳＣＨを使用して送信する受信品質情報は、大きな情報量の受信品質情報となる。
【００５７】
＃ｓｌｏｔ２における動作について説明する。基地局装置からＲＲＣシグナリングによって、ＰＵＣＣＨを使用して受信品質情報を送信する際のリソース割当て、送信間隔の設定が行なわれた移動局装置は、定められたＰＵＣＣＨのリソース、送信間隔で、小さな情報量の受信品質情報を基地局装置に対して送信する。図９では、送信間隔５ｓｌｏｔで、ＰＵＣＣＨを使用して受信品質情報を送信していることが示されている。
【００５８】
次に、＃ｓｌｏｔ３における動作について説明する。＃ｓｌｏｔ３で、基地局装置は、第１の実施形態で説明したように、上りリンクデータと受信品質情報を同時に送信するように指示する同時送信許可情報をＬ１／Ｌ２グラントに含めて移動局装置に対して送信する。基地局装置から、同時送信許可情報を含んだＬ１／Ｌ２グラントを受信した移動局装置は、上りリンクデータと大きな情報量の受信品質情報を、ＰＵＳＣＨを使用して同時に送信する。この際に送信されるデータの送信形態は、第１の実施形態で示したものと同様に、基地局装置から同時送信用物理フォーマットを含んだＲＲＣシグナリングで制御されてもよい。
【００５９】
次に、＃ｓｌｏｔ７における動作について説明する。＃ｓｌｏｔ７は、基地局装置が、事前にＰＵＣＣＨを使用して受信品質情報を送信するように設定したスロットに、さらに同時送信許可情報を含んだＬ１／Ｌ２グラントを送信した場合について示している。＃ｓｌｏｔ７において、基地局装置から同時送信許可情報を含んだＬ１／Ｌ２グラントを受信した移動局装置は、基地局装置に対して上りリンクデータと受信品質情報を、ＰＵＳＣＨを使用して同時に送信する。
【００６０】
ここで、上りリンクデータと同時に送信する受信品質情報としては、大きな情報量の受信品質情報、もしくは、ＰＵＣＣＨで送信しようとしていた小さな情報量の受信品質情報と大きな情報量の受信品質情報、もしくは、ＰＵＣＣＨで送信しようとしていた小さな情報量の受信品質情報とその関係を送信することができる。小さな情報量を持った受信品質情報とその関係とは、ＰＵＣＣＨで送信しようとしていた小さな情報量を持った受信品質情報と、その受信品質情報に対する差分情報などを示す。具体的には、広帯域の受信品質情報の平均値を小さな情報量の受信品質情報として、狭帯域の受信品質情報をその平均値からの差分情報として表し、送信することなどを示している。例えば、受信品質情報として、１５、１２、１０、８の４個の値を送信しようとする場合、「小さな情報量」として平均値を求めると「９」となる。また、「その関係」として、平均値からの差分情報を求めると、６、３、１、−１となる。これらをＰＵＳＣＨで上りリンクデータと同時に送信するのである。このように、平均値の差分情報は少ないビット数で表すことができるため、上りリンクデータチャネルで送信される受信品質情報のビット数を削減することが可能となる。
【００６１】
さらに、＃ｓｌｏｔ７における基地局装置の動作について説明する。移動局装置が、ＰＵＣＣＨで送信しようとしていた小さな情報量の受信品質情報と大きな情報量の受信品質情報またはＰＵＣＣＨで送信しようとしていた小さな情報量の受信品質情報とその関係を、基地局装置に対して送信する際、事前にＲＲＣシグナリングで設定されていたＰＵＣＣＨのリソースでは、何も送信しない。
【００６２】
基地局装置は、同時送信許可情報を含んだＬ１／Ｌ２グラントを送信することにより、ＰＵＣＣＨのリソースで送信する情報がなくなることが事前に分かるため、他の移動局装置が、このリソースを使用して、上りリンクの情報（例えば、ＡＣＫ／ＮＡＣＫ信号）を送信することができるようにスケジューリングを行なう。
【００６３】
このスケジューリングを行なうことにより、受信品質情報を送信するために事前に確保していたＰＵＣＣＨのリソースを、他の移動局装置に対して使用することができ上りリンクリソースをより効率的に使用することができる。
【００６４】
＃ｓｌｏｔ１２では、基地局装置がＲＲＣシグナリングによってＰＵＣＣＨを使用して小さな情報量を持った受信品質情報を送信するように移動局装置に対して設定したスロットに、同時送信許可情報を含まないＬ１／Ｌ２グラントを送信した場合について示している。＃ｓｌｏｔ１２における動作について説明する。＃ｓｌｏｔ１２において、基地局装置から同時送信許可情報を含まないＬ１／Ｌ２グラントを受信した移動局装置は、上りリンクデータとＰＵＣＣＨで送信しようとしていた小さな情報の受信品質情報を、ＰＵＳＣＨを使用して同時に送信する。
【００６５】
このときにＰＵＳＣＨを使用して送信する上りリンクデータとＰＵＣＣＨで送信しようとしていた小さな情報の受信品質情報を同時に送信するための物理フォーマットは、予め決められているものを使用するか、もしくは、ＲＲＣシグナリングによって制御される。すなわち、ＰＵＣＣＨで送信しようとしていた小さな情報の受信品質情報と上りリンクデータを同時に送信する物理フォーマットと、同時送信許可情報を含んだＬ１／Ｌ２グラントを受信した場合の、大きな情報の受信品質情報と上りリンクデータを同時に送信する物理フォーマットが定義される。
【００６６】
＃ｓｌｏｔ１２においても、基地局装置は、同時送信許可情報を含まないＬ１／Ｌ２グラントを送信することにより、ＰＵＣＣＨのリソースで送信する情報がなくなることが事前に分かるため、他の移動局装置が、このリソースを使用して、上りリンクの情報（例えば、ＡＣＫ／ＮＡＣＫ信号）を送信することができるようにスケジューリングを行なう。
【００６７】
図１０は、本発明に係る第２の実施形態において、スロットで送信される内容および形式を示す図である。また、図１１は、本発明に係る第２の実施形態の動作を示すシーケンスチャートである。ここでは、説明を分かり易くするために、図９における＃ｓｌｏｔ１〜＃ｓｌｏｔ１２までに対応したスロットおよびシーケンスを示している。図１０および図１１において、＃ｓｌｏｔ１で、基地局装置からＲＲＣシグナリングによって、移動局装置がＰＵＣＣＨを使用して受信品質情報を送信する際のリソース割当て、送信間隔の設定が行なわれる（ステップＳ４０）。＃ｓｌｏｔ２において、移動局装置は、設定されたＰＵＣＣＨのリソース、設定送信間隔で小さな情報量の受信品質情報を送信する（ステップＳ４１）。＃ｓｌｏｔ３で、基地局装置は、同時送信許可情報を含むＬ１／Ｌ２グラントを送信する（ステップＳ４２）。この信号を受信した移動局装置は、上りリンクデータと大きな情報量の受信品質情報を、ＰＵＳＣＨを使用して同時に送信する（ステップＳ４３）。
【００６８】
＃ｓｌｏｔ４で、基地局装置は、同時送信許可情報を含まないＬ１／Ｌ２グラントを送信する（ステップＳ４４）。この信号を受信した移動局装置は、上りリンクデータを、ＰＵＳＣＨを使用して送信する（ステップＳ４５）。＃ｓｌｏｔ８、＃ｓｌｏｔ１０においても同様の処理が行なわれる（ステップＳ４８〜Ｓ５１）。
【００６９】
＃ｓｌｏｔ７で、基地局装置は、同時送信許可情報を含むＬ１／Ｌ２グラントを送信する（ステップＳ４６）。この信号を受信した移動局装置は、上りリンクデータと大きな情報量の受信品質情報または上りリンクデータとＰＵＣＣＨで送信しようとしていた小さな情報量の受信品質情報と大きな情報量の受信品質情報、もしくは、上りリンクデータとＰＵＣＣＨで送信しようとしていた小さな情報量の受信品質情報とその関係を、ＰＵＳＣＨを使用して送信する（ステップＳ４７）。また、基地局装置は、他の移動局装置が、このリソースを使用して、上りリンクの情報を送信することができるようにスケジューリングを行なう。
【００７０】
＃ｓｌｏｔ１２で、基地局装置は、同時送信許可情報を含まないＬ１／Ｌ２グラントを送信する（ステップＳ５２）。この信号を受信した移動局装置は、上りリンクデータとＰＵＣＣＨで送信しようとしていた受信品質情報を、ＰＵＳＣＨを使用して送信する（ステップＳ５３）。また、基地局装置は、他の移動局装置が、このリソースを使用して、上りリンクの情報を送信することができるようにスケジューリングを行なう。
【００７１】
以上のように、本発明に係る第２の実施形態によれば、基地局装置が、ＰＵＣＣＨを使用して受信品質情報を送信するためのリソース、送信間隔をＲＲＣシグナリングに含めて送信し、また、上りリンクデータと受信品質情報を同時に送信することを許可する同時送信許可情報を含んだＬ１／Ｌ２グラントを送信することにより、受信品質情報の送信頻度を制御することができ、また、受信品質情報の情報量に柔軟に対応した送信制御を行なうことができる。
【００７２】
さらに、上りリンクデータと受信品質情報を同時に送信することが可能であるため、Ｌ１／Ｌ２グラントのリソースの無駄遣いを減らすことにつながる。すなわち、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【００７３】
（第３の実施形態）
図１２は、本発明に係る第３の実施形態において、基地局装置から移動局装置に送信される制御信号、移動局装置から基地局装置に送信される受信品質情報、上りリンクデータ、受信品質情報送信形態を示す図である。図１２では、例として、＃ｓｌｏｔ１〜＃ｓｌｏｔ２４までの動作を示している。まず、基地局装置は、受信品質情報送信可能時間領域をＲＲＣシグナリングに含めて移動局装置に対して送信する。この受信品質情報送信可能時間領域とは、この領域内のいずれかでＬ１／Ｌ２グラントを受信した移動局装置が、上りリンクデータと受信品質情報を同時に送信することができる領域である。これにより、基地局装置から送信するＬ１／Ｌ２グラントに、同時送信許可情報を含める必要がなく、下りリンクリソースをより効率的に使用することができる。
【００７４】
図１２は、基地局装置からＲＲＣシグナリングによって＃ｓｌｏｔ１〜＃ｓｌｏｔ４、＃１１〜＃１４、＃２１〜＃２４のスロットに対して受信品質情報送信可能時間領域を設定していることを示している。また、移動局装置は、受信品質情報送信可能時間領域内で最初に受信したＬ１／Ｌ２グラント（＃ｓｌｏｔ２、＃ｓｌｏｔ１１、＃ｓｌｏｔ２３）に対して、上りリンクデータと受信品質情報を同時に送信していることを示している。
【００７５】
移動局装置が上りリンクデータと受信品質情報を同時に送信する際の送信形態は、第１の実施形態で示したものと同様であり、基地局装置から同時送信用物理フォーマットを含んだＲＲＣシグナリングが送信されても良い。
【００７６】
図１３は、本発明に係る第３の実施形態において、スロットで送信される内容および形式を示す図である。また、図１４は、本発明に係る第３の実施形態の動作を示すシーケンスチャートである。ここでは、説明を分かり易くするために、図１２における＃ｓｌｏｔ１〜＃ｓｌｏｔ１２までに対応したスロットおよびシーケンスを示している。
【００７７】
図１３および図１４において、＃ｓｌｏｔ１で、基地局装置は、受信品質情報送信可能時間領域を含むＲＲＣシグナリングを、移動局装置に対して送信する（ステップＳ６０）。その時間領域内のいずれかでＬ１／Ｌ２グラントを受信した移動局装置は（ステップＳ６１）、上りリンクデータと受信品質情報を同時に送信する（ステップＳ６２）。＃ｓｌｏｔ１１でも同様の処理が行なわれる（ステップＳ６９、Ｓ７０）。＃ｓｌｏｔ３で、Ｌ１／Ｌ２グラントを受信した移動局装置は（ステップＳ６３）、上りリンクデータを送信する（ステップＳ６４）。
【００７８】
この例では、受信品質情報送信可能時間領域内で最初に受信したＬ１／Ｌ２グラントに対して上りリンクデータと受信品質情報を同時に送信することを示しているので、＃ｓｌｏｔ３では同時送信は行なわない。＃ｓｌｏｔ６、＃ｓｌｏｔ７、＃ｓｌｏｔ１２でも同様の処理が行なわれる（ステップＳ６５〜Ｓ６８、Ｓ７１、Ｓ７２）。
【００７９】
本発明の第３の実施形態においては、説明を分かり易くするために受信品質情報送信可能時間領域内で最初に受信したＬ１／Ｌ２グラントに対して、上りリンクデータと受信品質情報を同時に送信する例について説明したが、受信品質情報送信可能時間領域のいずれかのスロットで受信品質情報を送信することができる。
【００８０】
以上のように、本発明の第３の実施形態によれば、基地局装置が、受信品質情報送信可能時間領域をＲＲＣシグナリングに含めて移動局装置に対して送信し、その時間領域内でＬ１／Ｌ２グラントを受信した移動局装置が、上りリンクデータと受信品質情報を同時に送信することにより、基地局装置が、受信品質情報の送信頻度を制御することができ、また、受信品質情報の情報量に柔軟に対応した送信制御を行なうことができる。さらに、上りリンクデータと受信品質情報を同時に送信することが可能であるため、Ｌ１／Ｌ２グラントのリソースの無駄遣いを減らすことにつながる。
【００８１】
また、基地局装置から移動局装置に対して送信するＬ１／Ｌ２グラントに情報を追加することなく、より効率的に受信品質情報の送信制御を行なうことができる。すなわち、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【００８２】
（第４の実施形態）
図１５は、本発明に係る第４の実施形態において、基地局装置から移動局装置に送信される制御信号、移動局装置から基地局装置に送信される受信品質情報、上りリンクデータ、受信品質情報送信形態を示す図である。図１５では、例として、＃ｓｌｏｔ１〜＃ｓｌｏｔ２４までの動作を示している。まず、基地局装置は、移動局装置がＰＵＣＣＨを使用して受信品質情報を送信する際のリソース割当て、送信間隔、受信品質情報送信可能時間領域をＲＲＣシグナリングに含めて移動局装置に対して送信する。
【００８３】
図１５では、送信間隔５ｓｌｏｔで、ＰＵＣＣＨを使用して受信品質情報を送信し、＃ｓｌｏｔ１〜＃ｓｌｏｔ４、＃１１〜＃１４、＃２１〜＃２４に受信品質情報送信可能時間領域を設定していることを示している。また、移動局装置は、受信品質情報送信可能時間領域内で最初に受信したＬ１／Ｌ２グラント（＃ｓｌｏｔ３、＃ｓｌｏｔ１２、＃ｓｌｏｔ２３）に対して、上りリンクデータと受信品質情報を同時に送信していることを示している。
【００８４】
＃ｓｌｏｔ２で、基地局装置からＲＲＣシグナリングによって、ＰＵＣＣＨを使用して受信品質情報を送信する際のリソース割当て、送信間隔の設定が行なわれた移動局装置は、その設定で定められたＰＵＣＣＨのリソース、送信間隔で、小さな情報量の受信品質情報を、ＰＵＣＣＨを使用して送信する。
【００８５】
＃ｓｌｏｔ３で、基地局装置からＬ１／Ｌ２グラントを受信した移動局装置は、上りリンクデータと受信品質情報を同時に送信する。上りリンクデータと受信品質情報を同時に送信する際の送信形態は、第１の実施形態で示したものと同様であるが、基地局装置から同時送信用物理フォーマットを含んだＲＲＣシグナリングが送信されても良い。
【００８６】
＃ｓｌｏｔ７では、ＰＵＣＣＨを使用して小さな情報量の受信品質情報を送信するように設定されたスロットに、基地局装置がＬ１／Ｌ２グラントを送信したことを示している。＃ｓｌｏｔ７において、基地局装置からＬ１／Ｌ２グラントを受信した移動局装置は、上りリンクデータと、ＰＵＣＣＨで送信しようとしていた小さな情報の受信品質情報を、ＰＵＳＣＨを使用して同時に送信する。この際に基地局装置は、第２の実施形態で説明したように、Ｌ１／Ｌ２グラントを送信することにより、ＰＵＣＣＨのリソースで送信する情報がなくなることが事前に分かるため、他の移動局装置が、このリソースを使用して、上りリンクの情報（例えば、ＡＣＫ／ＮＡＣＫ信号）を送信することができるようにスケジューリングを行なう。
【００８７】
＃ｓｌｏｔ１２では、ＰＵＣＣＨを使用して小さな情報量の受信品質情報を送信するように設定したスロットに、受信品質情報送信可能時間領域内でＬ１／Ｌ２グラントを送信したことを示している。＃ｓｌｏｔ１２において、基地局装置からＬ１／Ｌ２グラントを受信した移動局装置は、上りリンクデータと受信品質情報を、ＰＵＳＣＨを使用して同時に送信する。ここで、上りリンクデータと同時に送信する受信品質情報としては、第２の実施形態で説明したように、大きな情報量の受信品質情報、もしくは、ＰＵＣＣＨで送信しようとしていた小さな情報量の受信品質情報と大きな情報量の受信品質情報、もしくは、ＰＵＣＣＨで送信しようとしていた小さな情報量の受信品質情報とその関係を送信することができる。
【００８８】
図１６は、本発明に係る第４の実施形態において、スロットで送信される内容および形式を示す図である。また、図１７は、本発明に係る第４の実施形態の動作を示すシーケンスチャートである。ここでは、説明を分かり易くするために、図１５における＃ｓｌｏｔ１〜＃ｓｌｏｔ１２までに対応したスロットおよびシーケンスを示している。
【００８９】
図１６および図１７において、＃ｓｌｏｔ１で、基地局装置は、ＰＵＣＣＨを使用して受信品質情報を送信する際のリソース割当て、送信間隔、および、受信品質情報送信可能時間領域をＲＲＣシグナリングに含めて送信する（ステップＳ８０）。この信号を受信した移動局装置は、設定により定められたＰＵＣＣＨのリソース、送信間隔で小さな情報量の受信品質情報を送信し（ステップＳ８１）、また、受信品質情報送信可能時間領域内のいずれかでＬ１／Ｌ２グラントを受信した場合（ステップＳ８２）、上りリンクデータと受信品質情報を同時に送信する（ステップＳ８３）。
【００９０】
＃ｓｌｏｔ２では、移動局装置は、小さな情報量の受信品質情報を、ＰＵＣＣＨを使用して送信する。＃ｓｌｏｔ３で、基地局装置はＬ１／Ｌ２グラントを送信し（ステップＳ８２）、その信号を受信した移動局装置は、上りリンクデータと受信品質情報を同時に送信する（ステップＳ８３）。＃ｓｌｏｔ４で、基地局装置はＬ１／Ｌ２グラントを送信し（ステップＳ８４）、その信号を受信した移動局装置は、上りリンクデータを送信する（ステップＳ８５）。
【００９１】
この例では、受信品質情報送信可能時間領域内で最初に受信したＬ１／Ｌ２グラントに対して上りリンクデータと受信品質情報を同時に送信することを示しているので、＃ｓｌｏｔ４では同時送信は行なわない。＃ｓｌｏｔ６、＃ｓｌｏｔ９でも同様の処理が行なわれる（ステップＳ８６、Ｓ８７、Ｓ９０、Ｓ９１）。
【００９２】
＃ｓｌｏｔ７で、基地局装置はＬ１／Ｌ２グラントを送信し（ステップＳ８８）、その信号を受信した移動局装置は、上りリンクデータとＰＵＣＣＨで送信しようとしていた小さな情報量の受信品質情報を、ＰＵＳＣＨを使用して送信する（ステップＳ８９）。また、基地局装置は、他の移動局装置が、このリソースを使用して、上りリンクの情報を送信することができるようにスケジューリングを行なう。
【００９３】
＃ｓｌｏｔ１２で、基地局装置はＬ１／Ｌ２グラントを送信し（ステップＳ９２）、その信号を受信した移動局装置は、上りリンクデータと大きな情報量を持った受信品質情報、もしくは、上りリンクデータとＰＵＣＣＨで送信しようとしていた小さな情報量の受信品質情報と大きな情報量の受信品質情報、もしくは、上りリンクデータとＰＵＣＣＨで送信しようとしていた小さな情報量の受信品質情報とその関係を送信する（ステップＳ９３）。
【００９４】
第４の実施形態においては、説明を分かり易くするために受信品質情報送信可能時間領域内で最初に受信したＬ１／Ｌ２グラントに対して、上りリンクデータと受信品質情報を同時に送信する例について説明したが、受信品質情報送信可能時間領域のいずれかのスロットで受信品質情報を送信することができる。
【００９５】
以上のように、本発明に係る第４の実施形態によれば、基地局装置が、移動局装置がＰＵＣＣＨを使用して受信品質情報を送信する際のリソース割当て、送信間隔、受信品質情報送信可能時間領域をＲＲＣシグナリングに含めて移動局装置に対して送信し、その時間領域内でＬ１／Ｌ２グラントを受信した移動局装置が、上りリンクデータと受信品質情報を同時に送信することにより、基地局装置が、受信品質情報の送信頻度を制御することができ、また、受信品質情報の情報量に柔軟に対応した送信制御を行なうことができる。
【００９６】
さらに、上りリンクデータと受信品質情報を同時に送信することが可能であるため、Ｌ１／Ｌ２グラントのリソースの無駄遣いを減らすことにつながる。すなわち、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【００９７】
また、基地局装置から移動局装置に対して送信するＬ１／Ｌ２グラントに情報を追加することなく、より効率的に受信品質情報の送信制御を行なうことができる。
【００９８】
以上、この発明の実施形態について図面を参照して詳述してきたが、具体的な構成はこの実施形態に限られるものではなく、この発明の要旨を逸脱しない範囲の設計等も特許請求の範囲に含まれる。
【００９９】
上述のとおり、本実施形態の移動通信システムは、移動局装置が、基地局装置から受信した信号の受信品質を測定し、受信品質情報を前記基地局装置へ送信する移動通信システムであって、基地局装置は、受信品質情報と上りリンクデータとを同時に送信する旨を移動局装置に対して指示する同時送信許可情報を、上りリンクデータ送信許可信号に含めて移動局装置へ送信し、前記移動局装置は、前記同時送信許可情報を含む上りリンクデータ送信許可信号を前記基地局装置から受信した場合は、受信品質情報と上りリンクデータとを同時に前記基地局装置へ送信することを特徴としている。
【０１００】
このように、基地局装置は、同時送信許可情報を、上りリンクデータ送信許可信号に含めて移動局装置へ送信し、移動局装置は、同時送信許可情報を含む上りリンクデータ送信許可信号を基地局装置から受信した場合は、受信品質情報と上りリンクデータとを同時に基地局装置へ送信するので、基地局装置が、受信品質情報の送信頻度を制御することができる。また、セル内の上りリンクリソースを考慮した受信品質情報の送信制御を行なうことができる。また、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【０１０１】
また、本実施形態の移動通信システムは、移動局装置が、基地局装置から受信した信号の受信品質を測定し、受信品質情報を前記基地局装置へ送信する移動通信システムであって、基地局装置は、移動局装置が上りリンク制御チャネルを使用して受信品質情報を前記基地局装置へ送信するためのリソースの割り当ておよび受信品質情報の送信間隔を指示する情報を、無線資源制御信号に含めて前記移動局装置へ送信した後、受信品質情報と上りリンクデータとを同時に送信する旨を移動局装置に対して指示する同時送信許可情報を、上りリンクデータ送信許可信号に含めて移動局装置へ送信し、前記移動局装置は、前記基地局装置から送信された前記無線資源制御信号に含まれる指示に従って、上りリンク制御チャネルを使用して受信品質情報を定期的に前記基地局装置へ送信すると共に、前記同時送信許可情報を含む上りリンクデータ送信許可信号を前記基地局装置から受信した場合は、上りリンクデータチャネルを使用して受信品質情報と上りリンクデータとを同時に前記基地局装置へ送信することを特徴としている。
【０１０２】
このように、基地局装置は、移動局装置が上りリンク制御チャネルを使用して受信品質情報を基地局装置へ送信するためのリソースの割り当ておよび受信品質情報の送信間隔を指示する情報を、無線資源制御信号に含めて移動局装置へ送信した後、同時送信許可情報を、上りリンクデータ送信許可信号に含めて移動局装置へ送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。また、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【０１０３】
また、本実施形態の移動通信システムにおいて、前記基地局装置が、予め前記無線資源制御情報を用いて移動局装置に対して上りリンク制御チャネルを使用して受信品質情報を送信するように指示した上りリンクのスロットに対応する下りリンクのスロットで、前記同時送信許可情報を含む上りリンクデータ送信許可信号を前記移動局装置に対して送信し、前記移動局装置が、前記同時送信許可情報を含む上りリンクデータ送信許可信号を前記基地局装置から受信した場合、前記移動局装置は、上りリンクデータチャネルを使用して受信品質情報と上りリンクデータとを同時に前記基地局装置へ送信することを特徴としている。
【０１０４】
このように、基地局装置が、予め無線資源制御情報を用いて移動局装置に対して上りリンク制御チャネルを使用して受信品質情報を送信するように指示した上りリンクのスロットでは、移動局装置は、上りリンク制御チャネルを使用して受信品質情報を定期的に基地局装置へ送信している。その上りリンクのスロットに対応する下りリンクのスロットで、基地局装置が、同時送信許可情報を含む上りリンクデータ送信許可信号を移動局装置に対して送信し、移動局装置が、その同時送信許可情報を含む上りリンクデータ送信許可信号を受信した場合、移動局装置は、上りリンクデータチャネルを使用して受信品質情報と上りリンクデータとを同時に基地局装置へ送信する。この構成により、基地局装置は、上りリンクデータ送信許可信号に含めて移動局装置へ送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。また、移動局装置は、上りリンクデータチャネルを使用して受信品質情報と上りリンクデータとを同時に基地局装置へ送信するので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１０５】
また、本実施形態の移動通信システムは、移動局装置が、基地局装置から受信した信号の受信品質を測定し、受信品質情報を前記基地局装置へ送信する移動通信システムであって、基地局装置は、移動局装置が受信品質情報と上りリンクデータとを同時に送信することができる受信品質情報送信可能時間を設定する情報を、無線資源制御信号に含めて移動局装置へ送信した後、上りリンクデータ送信許可信号を移動局装置へ送信し、前記移動局装置は、前記設定された受信品質情報送信可能時間内に上りリンクデータ送信許可信号を前記基地局装置から受信した場合は、受信品質情報と上りリンクデータとを同時に前記基地局装置へ送信することを特徴としている。
【０１０６】
このように、基地局装置は、受信品質情報送信可能時間を設定する情報を、無線資源制御信号に含めて移動局装置へ送信した後、上りリンクデータ送信許可信号を移動局装置へ送信し、移動局装置は、受信品質情報送信可能時間内に上りリンクデータ送信許可信号を基地局装置から受信した場合は、受信品質情報と上りリンクデータとを同時に基地局装置へ送信するので、基地局装置が、受信品質情報の送信頻度を制御することができる。また、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。また、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【０１０７】
また、本実施形態の移動通信システムは、移動局装置が、基地局装置から受信した信号の受信品質を測定し、受信品質情報を前記基地局装置へ送信する移動通信システムであって、基地局装置は、移動局装置が上りリンク制御チャネルを使用して受信品質情報を送信するためのリソースの割り当ておよび受信品質情報の送信間隔を指示する情報、並びに、移動局装置が受信品質情報と上りリンクデータとを同時に送信することができる受信品質情報送信可能時間を設定する情報を、無線資源制御信号に含めて移動局装置へ送信した後、上りリンクデータ送信許可信号を移動局装置へ送信し、前記移動局装置は、前記基地局装置から送信された前記無線資源制御信号に含まれる指示に従って、上りリンク制御チャネルを使用して受信品質情報を定期的に前記基地局装置へ送信すると共に、前記上りリンクデータ送信許可信号を前記基地局装置から受信した場合は、上りリンクデータチャネルを使用して受信品質情報と上りリンクデータとを同時に前記基地局装置へ送信することを特徴としている。
【０１０８】
このように、基地局装置は、移動局装置が上りリンク制御チャネルを使用して受信品質情報を送信するためのリソースの割り当ておよび受信品質情報の送信間隔を指示する情報、並びに、移動局装置が受信品質情報と上りリンクデータとを同時に送信することができる受信品質情報送信可能時間を設定する情報を、無線資源制御信号に含めて移動局装置へ送信した後、上りリンクデータ送信許可信号を移動局装置へ送信し、移動局装置は、受信品質情報送信可能時間内に上りリンクデータ送信許可信号を基地局装置から受信した場合は、受信品質情報と上りリンクデータとを同時に基地局装置へ送信するので、基地局装置が、受信品質情報の送信頻度を制御することができる。また、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。また、基地局装置から移動局装置へ無線資源制御信号（ＲＲＣシグナリング）を用いて固定したタイミングで受信品質情報の送信指示をしていたものを、上りリンクデータ送信許可信号を用いてダイナミックに受信品質情報の送信指示を行なうようにする場合、基地局装置から移動局装置に対して、どのタイミングで受信品質情報を送信すべきかを上りリンクデータ送信許可信号を用いて指示する必要がある。本発明によれば、受信品質情報と上りリンクデータとを同時に送信する旨を移動局装置に対して指示する同時送信許可情報を、上りリンクデータ送信許可信号に含めて移動局装置へ送信するので、下りリンクにおいて、上りリンクデータ送信許可信号のリソースの無駄遣いを減らし、リソースを有効に活用することが可能となる。
【０１０９】
また、本実施形態の移動通信システムにおいて、前記基地局装置が、予め前記無線資源制御情報を用いて移動局装置に対して上りリンク制御チャネルを使用して受信品質情報を送信するように指示した上りリンクのスロットに対応する下りリンクのスロットで、前記上りリンクデータ送信許可信号を前記移動局装置に対して送信し、前記移動局装置が、前記上りリンクデータ送信許可信号を前記基地局装置から受信した場合、前記移動局装置は、上りリンクデータチャネルを使用して受信品質情報と上りリンクデータと、を同時に前記基地局装置へ送信することを特徴としている。
【０１１０】
このように、基地局装置が、予め無線資源制御情報を用いて移動局装置に対して上りリンク制御チャネルを使用して受信品質情報を送信するように指示した上りリンクのスロットでは、移動局装置は、上りリンク制御チャネルを使用して受信品質情報を定期的に基地局装置へ送信している。その上りリンクのスロットに対応する下りリンクのスロットで、基地局装置が、同時送信許可情報を含む上りリンクデータ送信許可信号を移動局装置に対して送信し、移動局装置が、その同時送信許可情報を含む上りリンクデータ送信許可信号を受信した場合、移動局装置は、上りリンクデータチャネルを使用して受信品質情報と上りリンクデータとを同時に基地局装置へ送信する。この構成により、基地局装置は、上りリンクデータ送信許可信号に含めて移動局装置へ送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。また、移動局装置は、上りリンクデータチャネルを使用して受信品質情報と上りリンクデータとを同時に基地局装置へ送信するので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１１１】
また、本実施形態の移動通信システムにおいて、前記基地局装置は、前記移動局装置が受信品質情報と上りリンクデータとを同時に送信する際の物理フォーマットを指示する情報を、無線資源制御信号に含めて前記移動局装置へ送信し、前記移動局装置は、前記指示された物理フォーマットに従って受信品質情報と上りリンクデータとを同時に前記基地局装置へ送信することを特徴としている。
【０１１２】
このように、基地局装置は、移動局装置が受信品質情報と上りリンクデータとを同時に送信する際の物理フォーマットを指示する情報を、無線資源制御信号に含めて移動局装置へ送信するので、移動局装置が受信品質情報と上りリンクデータとを同時に送信する際の物理フォーマットを基地局装置側で制御することが可能となる。
【０１１３】
また、本実施形態の基地局装置は、移動局装置に対して、受信品質情報の送信動作を制御する基地局装置であって、移動局装置が生成する受信品質情報と上りリンクデータとを同時に送信する旨を前記移動局装置に対して指示する同時送信許可情報、および上りリンクデータ送信許可信号を入力し、前記同時送信許可情報を上りリンクデータ送信許可信号に含めるスケジューリングを行なうスケジューラ部と、前記同時送信許可情報を含む上りリンクデータ送信許可信号を前記移動局装置に対して送信する送信部と、を備えることを特徴としている。
【０１１４】
このように、本実施形態の基地局装置は、同時送信許可情報を、上りリンクデータ送信許可信号に含めて移動局装置へ送信するので、基地局装置側で、受信品質情報の送信頻度を制御することができる。また、セル内の上りリンクリソースを考慮した受信品質情報の送信制御を行なうことができる。
【０１１５】
また、本実施形態の基地局装置は、移動局装置に対して、受信品質情報の送信動作を制御する基地局装置であって、移動局装置が上りリンク制御チャネルを使用して受信品質情報を送信するためのリソースの割り当ておよび受信品質情報の送信間隔を指示する情報、前記移動局装置が生成する受信品質情報と上りリンクデータとを同時に送信する旨を前記移動局装置に対して指示する同時送信許可情報、および上りリンクデータ送信許可信号を入力し、前記移動局装置が上りリンク制御チャネルを使用して受信品質情報を送信するためのリソースの割り当ておよび受信品質情報の送信間隔を指示する情報を、無線資源制御信号に含めるスケジューリングを行なうと共に、前記同時送信許可情報を上りリンクデータ送信許可信号に含めるスケジューリングを行なうスケジューラ部と、前記無線資源制御信号を前記移動局装置へ送信した後で、前記同時送信許可情報を含む上りリンクデータ送信許可信号を前記移動局装置に対して送信する送信部と、を備えることを特徴としている。
【０１１６】
このように、本実施形態の基地局装置は、移動局装置が上りリンク制御チャネルを使用して受信品質情報を基地局装置へ送信するためのリソースの割り当ておよび受信品質情報の送信間隔を指示する情報を、無線資源制御信号に含めて移動局装置へ送信した後、同時送信許可情報を、上りリンクデータ送信許可信号に含めて移動局装置へ送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。
【０１１７】
また、本実施形態の基地局装置において、前記スケジューラ部は、予め前記無線資源制御情報を用いて移動局装置に対して上りリンク制御チャネルを使用して受信品質情報を送信するように指示した上りリンクのスロットに対応する下りリンクのスロットで、前記同時送信許可情報を含む上りリンクデータ送信許可信号を前記移動局装置に対して送信するスケジューリングを行なうことを特徴としている。
【０１１８】
このように、本実施形態の基地局装置は、上りリンクのスロットに対応する下りリンクのスロットで、同時送信許可情報を含む上りリンクデータ送信許可信号を移動局装置に対して送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。また、移動局装置に対して、上りリンクデータチャネルを使用して受信品質情報と上りリンクデータとを同時に基地局装置へ送信させるので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１１９】
また、本実施形態の基地局装置は、移動局装置に対して、受信品質情報の送信動作を制御する基地局装置であって、移動局装置が受信品質情報と上りリンクデータとを同時に送信することができる受信品質情報送信可能時間を設定する情報、および上りリンクデータ送信許可信号を入力し、前記受信品質情報送信可能時間を設定する情報を無線資源制御信号に含めるスケジューリングを行なうスケジューラ部と、前記無線資源制御信号を送信した後、前記上りリンクデータ送信許可信号を前記移動局装置に対して送信する送信部と、を備えることを特徴としている。
【０１２０】
このように、本実施形態の基地局装置は、受信品質情報送信可能時間を設定する情報を、無線資源制御信号に含めて移動局装置へ送信した後、上りリンクデータ送信許可信号を移動局装置へ送信するので、受信品質情報の送信頻度を制御することができる。また、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。
【０１２１】
また、本実施形態の基地局装置は、移動局装置に対して、受信品質情報の送信動作を制御する基地局装置であって、移動局装置が上りリンク制御チャネルを使用して受信品質情報を送信するためのリソースの割り当ておよび受信品質情報の送信間隔を指示する第１の情報、移動局装置が受信品質情報と上りリンクデータとを同時に送信することができる受信品質情報送信可能時間を設定する第２の情報、並びに上りリンクデータ送信許可信号を入力し、前記第１および第２の情報を無線資源制御信号に含めるスケジューリングを行なうスケジューラ部と、前記無線資源制御信号を送信した後、前記上りリンクデータ送信許可信号を前記移動局装置に対して送信する送信部と、を備えることを特徴としている。
【０１２２】
このように、本実施形態の基地局装置は、第１および第２の情報を無線資源制御信号に含めて移動局装置へ送信した後、上りリンクデータ送信許可信号を移動局装置へ送信するので、受信品質情報の送信頻度を制御することができる。また、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。
【０１２３】
また、本実施形態の基地局装置において、前記スケジューラ部は、予め前記無線資源制御情報を用いて移動局装置に対して上りリンク制御チャネルを使用して受信品質情報を送信するように指示した上りリンクのスロットに対応する下りリンクのスロットで、前記上りリンクデータ送信許可信号を前記移動局装置に対して送信するスケジューリングを行なうことを特徴としている。
【０１２４】
本実施形態の基地局装置によれば、上りリンクデータ送信許可信号に含めて移動局装置へ送信するので、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。また、移動局装置に対して、上りリンクデータチャネルを使用して受信品質情報と上りリンクデータとを同時に基地局装置へ送信させるので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１２５】
また、本実施形態の基地局装置において、前記スケジューラ部は、前記移動局装置が受信品質情報と上りリンクデータとを同時に送信する際の物理フォーマットを指示する情報を無線資源制御信号に含めるスケジューリングを行ない、前記送信部は、前記物理フォーマットを指示する情報を含む無線資源制御信号を前記移動局装置へ送信することを特徴としている。
【０１２６】
このように、本実施形態の基地局装置は、移動局装置が受信品質情報と上りリンクデータとを同時に送信する際の物理フォーマットを指示する情報を、無線資源制御信号に含めて移動局装置へ送信するので、移動局装置が受信品質情報と上りリンクデータとを同時に送信する際の物理フォーマットを基地局装置側で制御することが可能となる。
【０１２７】
また、本実施形態の移動局装置は、基地局装置から受信した信号の受信品質を測定し、受信品質情報を前記基地局装置へ送信する移動局装置であって、受信品質情報と上りリンクデータとを同時に送信する旨を指示する同時送信許可情報を含む上りリンクデータ送信許可信号を前記基地局装置から受信する受信部と、前記受信部が、前記同時送信許可情報を含む上りリンクデータ送信許可信号を受信した場合、前記受信品質情報と上りリンクデータとを同時に前記基地局装置へ送信する送信部と、を備えることを特徴としている。
【０１２８】
このように、本実施形態の移動局装置は、同時送信許可情報を含む上りリンクデータ送信許可信号を基地局装置から受信した場合は、受信品質情報と上りリンクデータとを同時に基地局装置へ送信するので、基地局装置側で受信品質情報の送信頻度を制御することができる。また、セル内の上りリンクリソースを考慮した受信品質情報の送信制御を行なうことができる。
【０１２９】
また、本実施形態の移動局装置は、基地局装置から受信した信号の受信品質を測定し、受信品質情報を前記基地局装置へ送信する移動局装置であって、前記基地局装置から、上りリンク制御チャネルを使用して受信品質情報を前記基地局装置へ送信するためのリソースの割り当ておよび受信品質情報の送信間隔を指示する情報を含む無線資源制御信号を受信した後、受信品質情報と上りリンクデータとを同時に送信する旨を指示する同時送信許可情報を含む上りリンクデータ送信許可信号を受信する受信部と、前記無線資源制御信号に含まれる指示に従って、上りリンク制御チャネルを使用して受信品質情報を定期的に前記基地局装置へ送信すると共に、前記受信部が、前記同時送信許可情報を含む上りリンクデータ送信許可信号を前記基地局装置から受信した場合は、上りリンクデータチャネルを使用して受信品質情報と上りリンクデータとを同時に前記基地局装置へ送信する送信部と、を備えることを特徴としている。
【０１３０】
このように、本実施形態の移動局装置は、上りリンク制御チャネルを使用して受信品質情報を基地局装置へ送信するためのリソースの割り当ておよび受信品質情報の送信間隔を指示する情報を含む無線資源制御信号を受信した後、受信品質情報と上りリンクデータとを同時に送信する旨を指示する同時送信許可情報を含む上りリンクデータ送信許可信号を受信するので、基地局装置側で、受信品質情報の送信頻度を制御することができる。また、受信品質情報を送信する際に上りリンク制御チャネルと上りリンクデータチャネルとを使い分けることができるので、受信品質情報の情報量に柔軟に対応した送信制御を行なうことが可能となる。
【０１３１】
また、本実施形態の移動局装置において、前記基地局装置が、予め前記無線資源制御情報を用いて上りリンク制御チャネルを使用して受信品質情報を送信するように指示した上りリンクのスロットに対応する下りリンクのスロットで、前記受信部が、前記同時送信許可情報を含む上りリンクデータ送信許可信号を前記基地局装置から受信した場合、前記送信部は、上りリンクデータチャネルを使用して受信品質情報と上りリンクデータと、を同時に前記基地局装置へ送信することを特徴としている。
【０１３２】
本実施形態の移動局装置によれば、受信品質情報を送信する際に上りリンク制御チャネルと上りリンクデータチャネルとを使い分けることができるので、受信品質情報の情報量に柔軟に対応した送信制御を行なうことが可能となる。また、上りリンクデータチャネルを使用して受信品質情報と上りリンクデータとを同時に基地局装置へ送信するので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１３３】
また、本実施形態の移動局装置は、基地局装置から受信した信号の受信品質を測定し、受信品質情報を前記基地局装置へ送信する移動局装置であって、前記基地局装置から、受信品質情報と上りリンクデータとを同時に送信することができる受信品質情報送信可能時間を設定する情報を含む無線資源制御信号を受信した後、上りリンクデータ送信許可信号を受信する受信部と、前記受信部が、前記設定された受信品質情報送信可能時間内に上りリンクデータ送信許可信号を前記基地局装置から受信した場合は、受信品質情報と上りリンクデータとを同時に前記基地局装置へ送信する送信部と、を備えることを特徴としている。
【０１３４】
このように、本実施形態の移動局装置は、受信品質情報送信可能時間内に上りリンクデータ送信許可信号を基地局装置から受信した場合は、受信品質情報と上りリンクデータとを同時に基地局装置へ送信するので、基地局装置側で、受信品質情報の送信頻度を制御することができる。また、この構成によれば、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。
【０１３５】
また、本実施形態の移動局装置は、基地局装置から受信した信号の受信品質を測定し、受信品質情報を前記基地局装置へ送信する移動局装置であって、前記基地局装置から、上りリンク制御チャネルを使用して受信品質情報を送信するためのリソースの割り当ておよび受信品質情報の送信間隔を指示する情報、並びに、受信品質情報と上りリンクデータとを同時に送信することができる受信品質情報送信可能時間を設定する情報を含む無線資源制御信号を受信した後、上りリンクデータ送信許可信号を受信する受信部と、前記無線資源制御信号に含まれる指示に従って、上りリンク制御チャネルを使用して受信品質情報を定期的に前記基地局装置へ送信すると共に、前記受信部が、前記上りリンクデータ送信許可信号を前記基地局装置から受信した場合は、上りリンクデータチャネルを使用して受信品質情報と上りリンクデータとを同時に前記基地局装置へ送信する送信部と、を備えることを特徴としている。
【０１３６】
このように、本実施形態の移動局装置は、受信品質情報送信可能時間内に上りリンクデータ送信許可信号を基地局装置から受信した場合は、受信品質情報と上りリンクデータとを同時に基地局装置へ送信するので、基地局装置側で、受信品質情報の送信頻度を制御することができる。また、基地局装置から移動局装置に対して送信する上りリンクデータ送信許可信号に、受信品質情報と上りリンクデータとを同時に送信する旨を移動局装置に対して指示する同時送信許可情報を付加する必要がないので、より効率的に受信品質情報の送信制御を行なうことができる。
【０１３７】
また、本実施形態の移動局装置において、前記基地局装置が、予め前記無線資源制御情報を用いて上りリンク制御チャネルを使用して受信品質情報を送信するように指示した上りリンクのスロットに対応する下りリンクのスロットで、前記受信部が、前記上りリンクデータ送信許可信号を前記基地局装置から受信した場合、前記送信部は、上りリンクデータチャネルを使用して受信品質情報と上りリンクデータとを同時に前記基地局装置へ送信することを特徴としている。
【０１３８】
本実施形態の移動局装置によれば、基地局装置側で、受信品質情報の送信頻度を制御することができる。また、受信品質情報を送信する際に上りリンク制御チャネルと上りリンクデータチャネルとを使い分けることができるので、基地局装置において受信品質情報の情報量に柔軟に対応した送信制御を行なうことが可能となる。また、上りリンクデータチャネルを使用して受信品質情報と上りリンクデータとを同時に基地局装置へ送信するので、そのときの上りリンク制御チャネルのリソースが空くこととなる。このため、基地局装置は、他の移動局装置がその空いた上りリンク制御チャネルのリソースを使用できるようにスケジューリングを行なうことが可能となる。これにより、上りリンクリソースをより効率的に使用することが可能となる。
【０１３９】
また、本実施形態の移動局装置において、前記受信部は、受信品質情報と上りリンクデータとを同時に送信する際の物理フォーマットを指示する情報を含む無線資源制御信号を前記基地局装置から受信し、前記送信部は、前記指示された物理フォーマットに従って受信品質情報と上りリンクデータとを同時に前記基地局装置へ送信することを特徴としている。
【０１４０】
このように、本実施形態の移動局装置は、基地局装置から受信品質情報と上りリンクデータとを同時に送信する際の物理フォーマットを指示する情報を含んだ無線資源制御信号を受信するので、受信品質情報と上りリンクデータとを同時に送信する際の物理フォーマットを基地局装置側で制御することが可能となる。
【符号の説明】
【０１４１】
１００  基地局装置
１０１  データ制御部
１０２  変調符号化部
１０３  マッピング部
１０４  ＩＦＦＴ部
１０５  無線送信部
１０６  無線受信部
１０７  ＦＦＴ部
１０８  復調復号化部
１０９  データ抽出部
１１０  スケジューラ部
１１１  送信情報制御部
１１１ａ  変調符号制御部
１１１ｂ  周波数選択スケジューラ部
１１２  アンテナ
２００  移動局装置
２０１  データ制御部
２０２  変調符号化部
２０３  マッピング部
２０４  ＩＦＦＴ部
２０５  無線送信部
２０６  無線受信部
２０７  ＦＦＴ部
２０８  復調復号化部
２０９  データ抽出部
２１０  受信品質情報制御部
２１０ａ  受信品質情報生成部
２１０ｂ  受信品質測定部
２１１  アンテナ
【図１】
2010074821.tif 000003
【図２】
2010074821.tif 000004
【図３】
2010074821.tif 000005
【図４】
2010074821.tif 000006
【図５】
2010074821.tif 000007
【図６】
2010074821.tif 000008
【図７】
2010074821.tif 000009
【図８】
2010074821.tif 000010
【図９】
2010074821.tif 000011
【図１０】
2010074821.tif 000012
【図１１】
2010074821.tif 000013
【図１２】
2010074821.tif 000014
【図１３】
2010074821.tif 000015
【図１４】
2010074821.tif 000016
【図１５】
2010074821.tif 000017
【図１６】
2010074821.tif 000018
【図１７】
2010074821.tif 000019
【図１８】
2010074821.tif 000020